(57)【要約】      （修正有）【課題】ＣＤやＤＶＤ等の円盤状ディスク用保護ケース内に凹設されたスペースに一または複数のメモリカードを収納保持することを可能とするメモリカードアタッチメントを提供する。【解決手段】円盤状ディスク用保護ケース２００内にメモリカード１００を収納保持するためのメモリカードアタッチメント１であって、メモリカードアタッチメント本体を円盤状ディスク用保護ケース内に固定するベース部１０と、メモリカードを固定保持するメモリカード保持部２０と、ベース部の周縁部に設けられるヒンジ部３０と、からなり、ベース部の中央には、円盤状ディスク用保護ケース内の凸状クランプ２１０に嵌合係止する係合孔１２が穿設されるとともに、メモリカード保持部には、メモリカードを固定保持するための嵌着部２２が、メモリカード保持部を折り畳んだ収納時にベース部と対向する面に凹設される。【選択図】図１
2018090300.tif 000002
【特許請求の範囲】
【請求項１】
円盤状ディスク用保護ケース内にメモリカードを収納保持するためのメモリカードアタッチメントにおいて、
前記メモリカードアタッチメントは、メモリカードアタッチメント本体を円盤状ディスク用保護ケース内に固定する円盤状からなるベース部(10)と、メモリカード(100)を固定保持するメモリカード保持部(20)と、前記メモリカード保持部(20)を前記ベース部(10)の周縁に沿って中央に向かって折り畳んで収納するとともに前記ベース部(10)に開閉自在に接続するために前記ベース部(10)の周縁部に設けられるヒンジ部(30)と、からなり、
前記ベース部(10)の中央には、円盤状ディスク用保護ケース内の凸状クランプに嵌合係止するための係合孔(12)が穿設されるとともに、
前記メモリカード保持部(20)には、メモリカード(100)を固定保持するための嵌着部(22)が、メモリカード保持部(20)を折り畳んだ収納時に前記ベース部(10)と対向する面に凹設されることを特徴とするメモリカードアタッチメント。
【請求項２】
前記ベース部(10)は、円盤状ディスク用保護ケースに収納する円盤状ディスクと略同径の円盤状からなることを特徴とする請求項１記載のメモリカードアタッチメント。
【請求項３】
前記ベース部(10)は、薄板からなるベース部の強度を担保するために、係合孔(12)と同軸からなる輪状のリブ(16)を凸設したことを特徴とする請求項１記載のメモリカードアタッチメント。
【請求項４】
円盤状ディスク用保護ケース内にメモリカードを収納保持するためのメモリカードアタッチメントにおいて、
前記メモリカードアタッチメントは、メモリカードアタッチメント本体を円盤状ディスク用保護ケース内に固定するベース部(10)と、メモリカード(100)を固定保持するメモリカード保持部(20)と、前記メモリカード保持部(20)を前記ベース部(10)の縁部から折り畳んで収納するとともに前記ベース部(10)に開閉自在に接続するために前記ベース部(10)の縁部に設けられるヒンジ部(30)と、からなり、
前記ベース部(10)には、円盤状ディスク用保護ケース内の凸状クランプに嵌合係止するための係合孔(12)が前記ヒンジ部(30)から折り畳まれた状態のメモリカード保持部(20)の先端より離れた位置に穿設されるとともに、
前記メモリカード保持部(20)には、メモリカード(100)を固定保持するための嵌着部(22)が、メモリカード保持部(20)を折り畳んだ収納時に当接する前記ベース部(10)の面側に凹設されることを特徴とするメモリカードアタッチメント。
【請求項５】
前記メモリカード保持部(20)は、前記ベース部(10)に前記ヒンジ部(30)を介して複数設置されることを特徴とする請求項１または請求項４記載のメモリカードアタッチメント。
【請求項６】
円盤状ディスク用保護ケース内にメモリカードを収納保持するためのメモリカードアタッチメントにおいて、
前記メモリカードアタッチメントは、メモリカードアタッチメント本体を円盤状ディスク用保護ケース内に固定する円盤状からなるベース部(10)と、メモリカードを固定保持するメモリカード保持部(20)と、からなり、
前記ベース部(10)は、円盤状ディスク用保護ケースのトレイに設けられる円盤状ディスクを挿通係止する凸状クランプに嵌合係止するため、凸状クランプと略同径からなる係合孔(12)をその円盤の中央に穿設するとともに、
前記メモリカード保持部(20)は、メモリカード(100)を固定保持するための嵌着凹部(26)を前記ベース部(10)に一つまたは複数個凹設したことを特徴とするメモリカードアタッチメント。
【発明の詳細な説明】
【技術分野】
【０００１】
本発明は、メモリカードを保持するためのアタッチメントに関し、特に、従前から存在するＣＤやＤＶＤ等の円盤状ディスク用保護ケース内に円盤状ディスクと略同じ大きさで凹設されたスペースにカード状の記憶媒体からなるメモリカードを収納保持する際に使用するメモリカードアタッチメントに関する。
【背景技術】
【０００２】
従来より、円盤状ディスクに代えて、記憶容量の大きな、小型のＳＤカードをはじめ様々なカード状の補助記憶媒体からなるメモリカードが開発され、利用されている。メモリカードには、ＵＳＢメモリやＳＤメモリ、スマートメディアなど、様々な種類が存在しているが、これらの各種メモリカードは、幅が数センチ程度のコンパクトなサイズのものが殆どであり、整理したり紛失を防ぐため、メモリカード専用の収用保持具が必要となる。そのため、各種のメモリカード用の保持具が数多く開発されて利用されている。
【０００３】
メモリカードを保持するための構造として、実用新案登録第３１５１５７３号が存在する。ここでは、メモリカードを収納するためのポケットを備えたカートリッジの形状をしたアタッチメントに関する技術であって、小型メモリカードを載置する底面と、底面に対して立設され小型メモリカードの側周を囲む壁と、小型メモリカードを取出すための取出開口と、取出開口に対面する壁を基部とし小型メモリカードを押さえる舌片と、舌片に対向する部分に設けられた底面開口とからなるメモリカードアタッチメントに関する技術が開示されている。この技術により、小型メモリカードをこれよりも一回り大きな他のメモリカード収納スペースに収納可能となる旨が示唆されている。
【０００４】
この技術によれば、確かにメモリカードを容易に保持することが可能となり、小型メモリカードを一回り大きなメモリカード収納スペースに収納することが可能になると考えられるが、ケースが専用ケースになるため、特定のメモリカード収納スペースにのみアタッチメントを使用することが出来るに過ぎないという問題点があった。また、メモリカード収納スペースに対して１つのメモリカードしか収納することが出来ない構造であるため、大量のメモリカードを収納して保存する場合に不便という問題点もあった。
【０００５】
そこで、様々なメモリカードを容易に収納保持することが可能となるとともに、複数のメモリカードを他の収納媒体に収納保持することを可能とする、使い勝手の良いメモリカードアタッチメントの開発が望まれていた。
【特許文献１】実用新案登録第３１５１５７３号
【発明の開示】
【発明が解決しようとする課題】
【０００６】
本発明は、メモリカードを従来からあるディスク収納ケースやその他の収納体に保持収納するためのアタッチメントであって、特に、ＣＤやＤＶＤ等の円盤状ディスク用保護ケース内に円盤状ディスクと略同じ大きさで凹設されたスペースにカード状の小型記憶媒体からなる一または複数のメモリカードを収納保持することを可能とするメモリカードアタッチメントを提供することを目的とする。
【課題を解決するための手段】
【０００７】
上記の目的を達成するために本発明に係るメモリカードアタッチメントは、円盤状ディスク用保護ケース内にメモリカードを収納保持するためのメモリカードアタッチメントであって、前記メモリカードアタッチメントは、メモリカードアタッチメント本体を円盤状ディスク用保護ケース内に固定する円盤状からなるベース部と、メモリカードを固定保持するメモリカード保持部と、前記メモリカード保持部を前記ベース部の周縁に沿って中央に向かって折り畳んで収納するとともに前記ベース部に開閉自在に接続するために前記ベース部の周縁部に設けられるヒンジ部と、からなり、前記ベース部の中央には、円盤状ディスク用保護ケース内の凸状クランプに嵌合係止するための係合孔が穿設されるとともに、前記メモリカード保持部には、メモリカードを固定保持するための嵌着部が、メモリカード保持部を折り畳んだ収納時に前記ベース部と対向する面に凹設される構成である。
【０００８】
また、前記ベース部は、円盤状ディスク用保護ケースに収納する円盤状ディスクと略同径の円盤状からなる構成である。
また、前記ベース部は、薄板からなるベース部の強度を担保するために、係合孔と同軸からなる輪状のリブを凸設した構成である。
【０００９】
また、本発明に係るメモリカードアタッチメントは、円盤状ディスク用保護ケース内にメモリカードを収納保持するためのメモリカードアタッチメントであって、前記メモリカードアタッチメントは、メモリカードアタッチメント本体を円盤状ディスク用保護ケース内に固定するベース部と、メモリカードを固定保持するメモリカード保持部と、前記メモリカード保持部を前記ベース部の縁部から折り畳んで収納するとともに前記ベース部に開閉自在に接続するために前記ベース部の縁部に設けられるヒンジ部と、からなり、前記ベース部には、円盤状ディスク用保護ケース内の凸状クランプに嵌合係止するための係合孔が前記ヒンジ部から折り畳まれた状態のメモリカード保持部の先端より離れた位置に穿設されるとともに、前記メモリカード保持部には、メモリカードを固定保持するための嵌着部が、メモリカード保持部を折り畳んだ収納時に当接する前記ベース部の面側に凹設される構成でもある。
また、前記メモリカード保持部は、前記ベース部に前記ヒンジ部を介して複数設置される構成である。
【００１０】
更に、本発明に係るメモリカードアタッチメントは、円盤状ディスク用保護ケース内にメモリカードを収納保持するためのメモリカードアタッチメントであって、前記メモリカードアタッチメントは、メモリカードアタッチメント本体を円盤状ディスク用保護ケース内に固定する円盤状からなるベース部と、メモリカードを固定保持するメモリカード保持部と、からなり、前記ベース部は、円盤状ディスク用保護ケースのトレイに設けられる円盤状ディスクを挿通係止する凸状クランプに嵌合係止するため、凸状クランプと略同径からなる係合孔をその円盤の中央に穿設するとともに、前記メモリカード保持部は、メモリカードを固定保持するための嵌着凹部を前記ベース部に一つまたは複数個凹設した構成でもある。
【発明の効果】
【００１１】
本発明は、上記詳述した通りの構成であるので、以下のような効果がある。
１．円盤状ディスク用保護ケース内にメモリカードを収納保持する構成としたため、メモリカードを容易にケース内に収納することが可能となるとともに、使用しなくなった円盤状ディスク用保護ケースを有効再活用することが可能となる。また、ベース部を円盤状とし係合孔を穿設したため、メモリカードアタッチメント本体を保護ケースの凸状クランプに嵌設固定することが可能となり、メモリカードアタッチメント本体を円盤状ディスク用保護ケース内に固定設置することが可能となる。更に、ベース部にメモリカード保持部をヒンジを介して接続する構成としたため、メモリカードを円盤状ディスク用保護ケース内に安定した状態で折り畳み保持することが可能となる。
【００１２】
２．ベース部を円盤状ディスクと略同径の円盤状としたため、円盤状ディスク用保護ケース内の凹状スペースに安定して設置されることとなり、円盤状ディスク用保護ケースでメモリカードアタッチメントが外れることを防止することが出来る。
３．ベース部に係合孔と同軸からなる輪状のリブを凸設したため、ベース部の強度を上げることが可能となる。
【００１３】
４．ベース部の係合孔がヒンジ部から折り畳まれた状態のメモリカード保持部の先端より離れた位置に穿設される構成としたため、ベース部の形状をＩ字、十字等様々な形状とすることが可能となる。
５．メモリカード保持部を、ベース部縁部に複数設置する構成としたため、複数のメモリカードを一の円盤状ディスク用保護ケース内に収納保持することが可能となる。
６．メモリカード保持部を、嵌着凹部をベース部に一つまたは複数凹設する構成としたため、簡易な構造で確実にメモリカードを保持できるメモリカードアタッチメントを提供することが可能となる。
【発明を実施するための最良の形態】
【００１４】
以下、本発明に係るメモリカードアタッチメントを、図面に示す実施例に基づいて詳細に説明する。図１は、本発明に係るメモリカードアタッチメントの平面図であり、図２は、円盤状ディスク用保護ケースに収納した状態のメモリカードアタッチメントの平面図である。図３は、メモリカードアタッチメントの側面断面図であり、図４は、円盤状以外の形状からなるメモリカードアタッチメントの平面図である。図５は、ベース部に嵌着凹部を凹設したメモリカードアタッチメントの平面図である。
【００１５】
本発明に係るメモリカードアタッチメント１は、図１に示すように、ベース部１０と、メモリカード保持部２０と、ヒンジ部３０とからなり、メモリカード保持部２０にカード状の記憶媒体からなるメモリカード１００を嵌着して固定保持するとともに、ベース部１０を円盤状ディスク用保護ケース２００内に折り畳んで固定して収納することにより、メモリカードアタッチメント１を介して、円盤状ディスク用保護ケース２００にメモリカード１００を収納保持する構成である。
【００１６】
ベース部１０は、メモリカードアタッチメント１本体をＣＤやＤＶＤ等の円盤状ディスク用保護ケース２００内に固定するための薄板状部材である。本実施例では、図１に示すように、ベース部１０は円盤状からなる構成としているが、これに限定されることはなく、後述するように円盤状ディスク用保護ケース２００内に挿入可能な形状であれば、適宜選択して使用することが可能である。また、ベース部１０は、本実施例ではポリプロピレン等の樹脂を用いているが、これに限定されることはなく、プラスチックやアクリル等他の材質を適宜選択して用いる事が可能である。
【００１７】
メモリカード保持部２０は、メモリカード１００を固定保持するための部材であり、図１に示すように、本実施例では、メモリカード１００のサイズよりやや広めのサイズからなるとともに、円盤状ディスク用保護ケース２００の凹状スペースに収納可能なサイズで構成されるが、これに限定されることはなく、メモリカード保持部２０の大きさは適宜選択することが可能である。また、メモリカード保持部２０は、本実施例ではポリプロピレン等の樹脂を用いているが、これに限定されることはなく、プラスチックやアクリル等他の材質を適宜選択して用いる事が可能である。
【００１８】
ヒンジ部３０は、メモリカード保持部２０をベース部１０に開閉自在に折り畳み収納するための部位であり、図１に示すように、ベース部１０の周縁部に折曲自在に設けられている。メモリカード保持部２０は、ヒンジ部３０を介してベース部１０に対して蝶番のように折り曲げたり延ばしたりすることが可能な構成となっているため、図２および図３に示すように、メモリカード保持部２０をベース部１０の周縁に沿って中央に向かって折り畳んで収納することが可能な構成である。本実施例では、ヒンジ部３０は、ベース部１０とメモリカード保持部２０を一体的に連結形成する接合部となるとともに、両者の境目を折り曲げて蝶番状となるように形成している。これにより、ベース部１０とメモリカード保持部２０を個別に形成して接合することなく、一体的に形成することが可能となり、メモリカードアタッチメント１を効率よく大量生産することが可能となった。
【００１９】
係合孔１２は、従来の円盤状ディスク用保護ケース２００内の凸状クランプ２１０に嵌合係止するためにベース部１０の中心部分に穿設される円形状の孔である。図１および図２に示すように、本実施例では、ベース部１０の中央部に係合孔１２が穿設されている。これにより、凸状クランプ２１０がベース部１０をしっかりと嵌合して固定することになるため、メモリカードアタッチメント１を円盤状ディスク用保護ケース２００内に安定して固定設置することが可能となる。
【００２０】
嵌着部２２は、メモリカード１００をメモリカード保持部２０に固定保持するための凹状部であり、メモリカード保持部２０に、図１および図３に示すように嵌着部２２が凹設される。メモリカード保持部２０を、ヒンジ部３０に沿って折り畳んだ収納時に、図３に示すように、ベース部１０と対向する側の面に、メモリカード１００の形状に合わせて凹設される構成である。本実施例では、嵌着部２２は、メモリカード保持部２０を凹状に押圧形成する構成となっている。これにより、従来のようにメモリカード保持部として孔を空けた上で別途形成した嵌着部を接合して形成する必要がなくなり、簡単にメモリカードアタッチメント１を効率よく大量生産することが可能となった。
【００２１】
嵌着部２２は、本実施例では、メモリカード１００が脱落するのを嵌着部２２から脱落することを防止するため、図１および図３に示すように、複数からなる脱落防止用爪２４を設置（または押圧形成）する構成としているが、この構成に限定されることはなく、例えば立爪（図示せず）を押圧形成することによってメモリカード１００を挟持する構成とすることも可能である。
【００２２】
この構成とすることにより、メモリカード保持部２０を折り畳んで収納した状態で円盤状ディスク用保護ケース２００内に固定収納すると、ベース部１０とメモリカード保持部２０との間に形成される空間内にメモリカード１００が収納される事となる。すなわち、ベース部１０が蓋の役割を果たすため、メモリカード１００が嵌着部２２から脱落することを防止でき、仮に脱落した場合であっても、メモリカード保持部２０の外（円盤状ディスク用保護ケース２００内）に移動することを防止することが可能となる。
【００２３】
なお、メモリカード保持部２０の折り畳み時に、ベース部１０のメモリカード保持部２０と接する面であって、嵌着部２２に対応する位置に、メモリカード１００を押さえるための凸状押圧部１４を凸設（または押圧形成）する構成とすることが可能である。この構成とすることにより、メモリカード保持部２０の折り畳み収納時に、ベース部１０側から凸状押圧部１４がメモリカード１００を押圧して支える構成となり、メモリカード１００を脱落させずに安定した状態で保持することが可能となる。
【００２４】
以上の構成とすることにより、メモリカード１００を、メモリカードアタッチメント１を介して、安定した状態で容易に円盤状ディスク用保護ケース２００内に収納することが可能となるとともに、使用しなくなった円盤状ディスク用保護ケース２００をメモリカード１００の保護用ケースとして有効に再活用することが可能となった。また、メモリカード１００の脱落を防止することが可能となり、メモリカード１００の破損を防止して保存することを可能とするメモリカードアタッチメントを提供することが可能となった。更に、一枚のポリプロピレン等からなる板材を押圧および切断のみによって一体的に形成することが可能となり、メモリカードアタッチメント１を効率よく大量に生産することが可能となった。
【００２５】
ベース部１０は、本実施例では、図２に示すように、円盤状ディスク用保護ケース２００に収納する円盤状ディスクと略同径の円盤状からなる構成としている。ＣＤやＤＶＤ等の円盤状ディスクは直径が１２０ｍｍであるため、ベース部１０も同様に直径１２０ｍｍの円盤状となっている。
【００２６】
この構成とすることにより、既存の円盤状ディスク用保護ケース２００にメモリカードアタッチメント１を固定収納することが可能となるとともに、メモリカードアタッチメント１のベース部１０が円盤状ディスク用保護ケース２００の凸状クランプ２１０から脱落した場合であっても、円盤状ディスク用保護ケース２００内で安定した状態で保持される事となり、メモリカードアタッチメント１の脱落に起因するメモリカード１００の破損を防止することが可能となった。
【００２７】
また、本実施例では、ベース部１０に、リブ１６を設けた構成となっている。リブ１６は、図１および図２に示すように、係合孔１２と同軸（すなわち、円盤状のベース部１０の中心軸と同軸）からなる輪を突設（押圧形成）した形状からなる構成である。この構成とすることにより、薄板からなるベース部１０の強度を担保することが可能となり、外圧等によるメモリカードアタッチメント１の破損を原因とするメモリカード１００の破損を防止することが可能となった。
【００２８】
本発明に係るメモリカードアタッチメント１の別の実施例として、図４に示すように、ベース部１０の形状を円盤状以外の他の形状とすることが可能である。すなわち、ベース部１０は、十字形状、Ｉ字形状、その他係合孔１２を端部に穿設した片持ち形状等、適宜選択して形成することが可能である。
【００２９】
この構造の場合、ベース部１０の係合孔１２は、ヒンジ部３０から折り畳まれた状態のメモリカード保持部２０の先端より離れた位置に穿設する構成となる。この構成とすることにより、メモリカード保持部２０の先端が係合孔１２に干渉しないため、円盤状ディスク用保護ケース２００内にメモリカードアタッチメント１を安定して収納保持することが可能となる。
【００３０】
メモリカード保持部２０は、図１および図２に示すように、ベース部１０にヒンジ部３０を介して複数設置することが可能である。この構成とすることにより、複数のメモリカード１００を一の円盤状ディスク用保護ケース２００内に収納保持することが可能となった。
【００３１】
更に、本発明に係るメモリカードアタッチメント１の他の実施例として、図５に示すように、メモリカード保持部２０の嵌着凹部２６を、ベース部１０に直接凹設する構成とすることが可能である。すなわち、ヒンジ部３０を形成しないで、メモリカード保持部２０をベース部１０内に直接形成する構成である。
【００３２】
本発明の別の実施例では、メモリカード保持部２０は、メモリカード１００を固定保持するための嵌着凹部２６を、ベース部１０に一つまたは複数凹設した構成となっている。この構成とすることにより、簡易な構造で確実にメモリカード１００を保持することが可能なメモリカードアタッチメント１を容易に大量生産することが可能となった。
【図面の簡単な説明】
【００３３】
【図１】本発明に係るメモリカードアタッチメントの平面図
【図２】円盤状ディスク用保護ケースに収納した状態のメモリカードアタッチメントの平面図
【図３】メモリカードアタッチメントの側面断面図
【図４】円盤状以外の形状からなるメモリカードアタッチメントの平面図
【図５】ベース部に嵌着凹部を凹設したメモリカードアタッチメントの平面図
【符号の説明】
【００３４】
１    メモリカードアタッチメント
１０    ベース部
１２    係合孔
１４    凸状押圧部
１６    リブ
２０    メモリカード保持部
２２    嵌着部
２４    脱落防止用爪
２６    嵌着凹部
３０    ヒンジ部
１００    メモリカード
２００    円盤状ディスク用保護ケース
２１０    凸状クランプ
【図１】
2018090300.tif 000003
【図２】
2018090300.tif 000004
【図３】
2018090300.tif 000005
【図４】
2018090300.tif 000006
【図５】
2018090300.tif 000007